(57)【特許請求の範囲】
【請求項１】
物品を載置する棚板上に設けられた左右１対の側板に軸支した前方に延出する左右１対の第１レバーの先端同士を連結杆により連結して、平面視後向きコ字状に形成した前方飛出し防止バーと、前記第１レバーの中間部から上方に延出する左右１対の第２レバーの先端同士を連結杆により連結して、正面視下向きコ字状に形成した上方飛出し防止バーとを備え、前記前方および上方飛出し防止バーを後方に回動させることにより、前記物品を前方に取出し可能としたことを特徴とする物品載置棚における物品飛出し防止装置。
【請求項２】
第１レバーを後方に傾いた状態で受け止める後ストッパを、側板に設けた請求項１記載の物品載置棚における物品飛出し防止装置。
【請求項３】
第１レバーを前方に倒れた状態で受け止める前ストッパを、側板に設けた請求項１または２記載の物品載置棚における物品飛出し防止装置。
【請求項４】
第１レバーを後方に傾いた状態で受け止める後ストッパを、側板の上部に側方に突出するように設け、かつ第１レバーを前方に倒れた状態で受け止める前ストッパを、前記側板の前部に側方に突出するように設けた請求項１〜３のいずれかに記載の物品載置棚における物品飛出し防止装置。
【発明の詳細な説明】
【０００１】
【発明の属する技術分野】
本発明は、棚板に載置された物品が、振動等により棚板上を滑って、棚板の前方から飛出して落下するのを防止する、物品載置棚における物品飛出し防止装置に関する。
【０００２】
【従来の技術】
磁気テープカセット、ＣＤケース等の物品を棚板上に載置して棚に収容した場合、棚に地震や人がぶつかった際の衝撃等が加わると、物品が棚板から前方に飛出して落下することがある。
【０００３】
このような棚板から物品が飛出して落下したりするのを防止する落下防止装置の一例が、実用新案登録番号第２５３８３４０号公報に開示されている。
この落下防止装置は、物品を載置する棚板の上段の下面に、長さ方向に沿った軸を介して固定または棚板の前後方向に回転するように垂下吊設した上下方向に伸縮可能な落下防止部材の下端を、下段の棚板上の物品の上部に当接させて、物品の飛出しによる落下を防止している。
【０００４】
【発明が解決しようとする課題】
しかし、上述のような従来の落下防止装置は、落下を防止する物品を載置した棚板の上段の棚板に設けられるため、１段上の棚板を必ず必要とし、最上段の棚板に載置した物品の落下を防止することはできないという問題を有している。
【０００５】
また、物品の上部と上段の棚板との間に設けるため、その分、棚板同士の上下間の間隔を広くしなければならず、棚の高さ当たりの棚板の段数が少なく、物品の収容率が低いという問題もある。
【０００６】
本発明は、上記の問題点に鑑み、最上段の棚板上の物品の落下をも防止しうるとともに、棚板の段数を多くすることのできる落下防止装置を提供することを目的としている。
【０００７】
【課題を解決するための手段】
本発明によると、上記課題は、次のようにして解決される。
(１) 物品を載置する棚板上に設けられた左右１対の側板に軸支した前方に延出する左右１対の第１レバーの先端同士を連結杆により連結して、平面視後向きコ字状に形成した前方飛出し防止バーと、前記第１レバーの中間部から上方に延出する左右１対の第２レバーの先端同士を連結杆により連結して、正面視下向きコ字状に形成した上方飛出し防止バーとを備え、前記前方および上方飛出し防止バーを後方に回動させることにより、前記物品を前方に取出し可能とする。
【０００８】
(２) 上記(１)項において、第１レバーを後方に傾いた状態で受け止める後ストッパを、側板に設ける。
【０００９】
(３) 上記(１)または(２)項において、第１レバーを前方に倒れた状態で受け止める前ストッパを、側板に設ける。
【００１０】
(４) 上記(１)〜(３)項のいずれかにおいて、第１レバーを後方に傾いた状態で受け止める後ストッパを、側板の上部に側方に突出するように設け、かつ第１レバーを前方に倒れた状態で受け止める前ストッパを、前記側板の前部に側方に突出するように設ける。
【００１１】
【発明の実施の形態】
以下、本発明の実施の形態を、図１〜図６に基づいて説明する。
物品載置棚(１)は、磁気テープカセット等の物品(Ｃ)を前後から出入できるようになっており、左右１対ずつの前支柱(２)と中間支柱(３)と後支柱(４)と、前支柱(２)と中間支柱(３)とに着脱可能に設けられた左右１対の前ブラケット(５)と、後支柱(４)と中間支柱(３)とに着脱可能に設けられた左右１対の後ブラケット(６)と、左右に対向する前、後ブラケット(５)(６)間に係止された棚板(７)と、棚板(７)の上面に設けられて、複数の物品(Ｃ)を中間支柱(３)寄りの端部が若干下位となるように傾けて受け止めるトレイ(８)とを有している。
【００１２】
トレイ(８)には、磁気テープカセット等を整列し易くする複数の合成樹脂製の仕切り板(９)が、トレイ(８)の底壁(8a)及び後壁(8b)に穿設したスリット(10)に、仕切り板(９)の下縁及び後縁に形成した爪(11)を差込むことによって、等間隔となるように、着脱可能に設けられている。
【００１３】
棚板(７)には、物品(Ｃ)の前方への飛出しによる落下を防止する前方飛出し防止バー(12)と、上方への飛出しを防止する上方飛出し防止バー(13)とが前後方向に回動可能に設けられている。
【００１４】
前方飛出し防止バー(12)は、トレイ(８)における左右１対の側板(14)(14)の上部中央に、左右方向を向くピン(15)によって軸支した前方に延出する左右１対の第１レバー(16)(16)の先端同士を、左右方向を向く連結杆により連結して、平面視後向きコ字状に形成されている。
【００１５】
上方飛出し防止バー(13)は、第１レバー(16)の中間部から上方に延出する左右１対の第２レバー(18)の先端同士を、左右方向を向く連結杆(19)により連結して、正面視下向きコ字状に形成されている。
【００１６】
側板(14)の上縁及び前縁には、外側方に突出する突片(20)(21)が突設されており、上部の突片(20)は側板(14)の中間から後方に形成されて、先端が第１レバー(16)を後方に傾いた状態で受け止める後ストッパ(20a)となっている。また、前部の突片(21)は側板(14)の中間から下部に形成されて、上端が第１レバー(16)を前方に倒れた状態で受け止める前ストッパ(21a)となっている。
【００１７】
なお、物品載置棚(１)は、磁気テープカセット以外に他の物品も収容できるようにするため、棚板(７)の前後幅は、磁気テープカセットの長さより長くしてある。このため、磁気テープカセットを載置する棚板の中間から後部に生じる空間は、箱(22)によって埋められている。
【００１８】
前方、上方飛出し防止バー(12)(13)を後方に倒し、後ストッパ(20a)に受け止めさせて、トレイ(８)の前方を解放することによって、トレイ(８)に磁気テープカセット等の物品(Ｃ)を収容することができる。このとき、後ストッパ(20a)は、第１レバー(16)を後方に傾いた状態で受け止めるため、前方、上方飛出し防止バー(12)(13)の重心がピン(15)より後方にあり、前方、上方飛出し防止バー(12)(13)が、前へ倒れるようなことがない。
【００１９】
前方、上方飛出し防止バー(12)(13)を前方に倒し、前ストッパ(21a)に受け止めさせて、物品(Ｃ)の前部と上部に前方飛出し防止バー(12)と上方飛出し防止バー(13)を対向させることによって、物品(Ｃ)の前方及び上方への飛出し、及びそれに伴う落下を防止して、物品(Ｃ)を棚板上に確実に保管することができる。
【００２０】
なお、第１レバー(16)は、側板上の後ストッパ(20a)と前ストッパ(21a)とにより受け止められるようにしているが、図６に想像線で示すように、前方飛出し防止バー(25)の第１レバー(16)の前方に向けたときの上縁に突片(23)を突設し、使用時にこの突片(23)の下面が側板(24)の上縁(24a)に当接し、また、図６に実線で示すはね上げ時に突片(23)のピン(15)寄りの縁が、側板(24)の上縁(24a)に当接して、受け止められるようにしてもよい。
【００２１】
また、トレイ(８)は、必要に応じて、棚板(７)にねじ止めするか、または、つめ等により棚板(７)に係止させておくのがよい。
【００２２】
【発明の効果】
請求項１記載の発明によると、棚板上に設けた左右１対の側板に軸支した前方飛出し防止バーと上方飛出し防止バーとによって、上段の棚板と無関係に、物品の前方及び上方への飛出し、及びそれに伴う落下を防止することができるので、最上段の棚板上の物品の落下をも確実に防止することができるとともに、棚板間の間隔を狭めて、棚の高さ当たりの棚板の段数を多くして、物品の収容率を高めることができる。
【００２３】
請求項２記載の発明によると、第１レバーを後方に傾いた状態で後ストッパで受け止めるので、前方、上方飛出し防止バーの重心がその回動中心より後方に位置して、物品の出入中に、前方、上方飛出し防止バーの前方への回動を防止して、物品の出入を容易に行なうことができる。
【００２４】
請求項３記載の発明によると、前方、上方飛出し防止バーを、安定して支持することができる。
【００２５】
請求項４記載の発明によると、構造を簡素化することができる。
【図面の簡単な説明】
【図１】本発明の一実施形態の物品飛出し防止装置を備えた物品載置棚の正面図である。
【図２】上部の前ブラケットと後ブラケットとを省略して示す図１の左側面図である。
【図３】物品載置棚の後半分と物品飛出し防止装置とを省略して示す物品載置棚の分解斜視図である。
【図４】物品飛出し防止装置の斜視図である。
【図５】同じく、左側面図である。
【図６】他の実施形態の物品飛出し防止装置の左側面図である。
【符号の説明】
(Ｃ)物品(磁気テープカセット)
(１)物品載置棚
(２)前支柱
(３)中間支柱
(４)後支柱
(５)前ブラケット
(６)後ブラケット
(７)棚板
(８)トレイ
(９)仕切り板
(10)スリット
(11)爪
(12)前方飛出し防止バー
(13)上方飛出し防止バー
(14)側板
(15)ピン
(16)第１レバー
(17)連結杆
(18)第２レバー
(19)連結杆
(20)突片
(20a)後ストッパ
(21)突片
(21a)前ストッパ
(22)箱
(23)突片
(24)側板
(24a)上縁
(25)前方飛出し防止バー
【図１】
0004355385.tif 000002
【図２】
0004355385.tif 000003
【図３】
0004355385.tif 000004
【図４】
0004355385.tif 000005
【図５】
0004355385.tif 000006
【図６】
0004355385.tif 000007